(57)【要約】【課題】外部トランスの２次出力に接続された電源ユニットからなる対象物のサージ保護システムを提供する。【解決手段】外部トランスの２次巻線（１）はスター結線に結合し、トランスのスター点は、中性導体（７）およびアース導体（５）に接続されている。電源ユニットにおいて、少なくとも１つの相導体（６）が第１タイプのサージ保護デバイス（４）に接続され、中性導体（７）が、第２タイプのサージ保護デバイス（９）を介してアース導体（５）に接続されている。第１タイプのサージ保護デバイス（４）は、電圧依存抵抗器すなわちバリスタからなり、第２タイプのサージ保護デバイス（９）は、落雷電流阻止器すなわちスパーク・ギャップ素子からなる。【選択図】図２
2006230197.tif 000002
【特許請求の範囲】
【請求項１】
トランスを含む電源供給システムであって、前記電源供給システムは、対象物への落雷電流のサージ電流からの保護のために用いられるシステムであって、前記対象物は、アンテナの支柱の基部の大きさよりも小さい足場を具備し、
前記サージ電流からの保護のために用いられるシステムは、中性導体（７）に接続される少なくとも１つの相導体（６）を有する電源ユニットを具備し、
それぞれの相導体に対する接続である第１接続は、第１のタイプのサージ保護装置（４）からなり、
中性導体（７）は、第２接続により、前記対象物のアース導体（５）に接続され、
前記第２接続は、第２のタイプのサージ保護装置（９）を含み、
前記第１のタイプのサージ保護装置（４）は、予め決められた第１の定格を有する電圧依存抵抗素子又はバリスタからなり、
前記第２のタイプのサージ保護装置（９）は、予め決められた第２の定格を有するスパーク・ギャップ素子からなり、
前記第１の定格は少なくとも４ＫＡ、前記第２の定格は少なくとも４０ＫＡであり、
前記電源ユニットを構成する素子は、１つの筐体内に収納されると共に、前記雷電流の高電流が、前記アース導体（５）と中性導体（７）とを通ることで、前記筐体内のスパーク・ギャップ素子を流れるように構成され、
前記相導体（６）と中性導体（７）とが、スイッチ（３）を介して前記トランスの２次出力の導体に直接接続され、
これにより、前記電源ユニットが、前記トランスと保護されるべき対象物との間のサージ保護を行うことを特徴とする電源供給システム。
【請求項２】
前記外部トランス（１）の２次巻線が前記電源ユニットに接続され、
前記第１のタイプのサージ保護デバイス（４）及び前記第２のタイプのサージ保護デバイス（９）が、前記外部トランス（１）から電力の流れの向きに見て、前記電源ユニットに設けられたスイッチ（３）の前方に設けられていることを特徴とする請求項１記載の電源供給システム。
【請求項３】
前記スイッチ（３）が、アース漏れ回路ブレーカによって切られることを特徴とする請求項１又は２記載の電源供給システム。
【請求項４】
前記アース漏れ回路ブレーカが、自己リセット型であることを特徴とする請求項３記載の電源供給システム。
【請求項５】
前記第２のタイプのサージ保護デバイス（９）が、非ブロー・オフタイプであることを特徴とする請求項１〜４の何れかに記載の電源供給システム。
【請求項６】
前記第２のタイプのサージ保護デバイス（９）が、完全にシールドされていることを特徴とする請求項１〜５の何れかに記載の電源供給システム。
【請求項７】
前記第１のタイプのサージ保護デバイスが、電圧依存抵抗器またはバリスタからなり、前記第２のタイプのサージ保護デバイスが、落雷電流阻止器またはスパーク・ギャップ素子からなることを特徴とする請求項１〜６の何れかに記載の電源供給システム。
【請求項８】
前記電源ユニットの各素子が、閉じられた前記筐体内に配設されていることを特徴とする請求項１〜７の何れかに記載の電源供給システム。
【請求項９】
前記第２のタイプのサージ保護デバイス（９）の定格が、少なくとも５０ＫＡ、好ましくは少なくとも１００ＫＡであり、前記第１のタイプのサージ保護デバイス（４）の定格が、少なくとも８ＫＡであることを特徴とする請求項１〜８の何れかに記載の電源供給システム。
【請求項１０】
前記アース導体（５）に接続されている導体の一部が、金属板で形成されていることを特徴とする請求項１〜９の何れかに記載の電源供給システム。
【発明の詳細な説明】
【技術分野】
【０００１】
本発明は、電源を有する装置が据え付けられている物体の落雷・サージ保護システムに関するものである。さらに詳しくは、本発明は、外部トランスの２次出力に接続され、その２次巻線がスター（星型）結線され、スター点が下流の中性導体およびトランス近くに供給されたアース電極に接続されている電源（ｓｕｐｐｌｙ）ユニットからなる物体のサージ保護システムに関するものである。
【０００２】
特に、本発明は、特定エリアや地上、建物に据え付けられた物体に対する落雷・サージ保護システムとして使われ得る。そのような物体の例は、ＧＳＭ基地局のようなアンテナを備え付けた装置からなる。電源に対するサージ保護デバイスは一般に公知である。
【０００３】
本出願による保護デバイスは、落雷や電磁波パルス（ＥＭＰ）によって生じるサージのような高エネルギーを有するサージに対する保護のために使われる。さらに詳しくは、本出願は、無線交通用送受信局のような対象に据え付けられた電気設備に対する電源内で落雷によって生じたサージに対する保護に関するものである。
【背景技術】
【０００４】
そのような保護デバイスに対し、ある数の特定部材や手段に加えて、１以上（好ましくは少なくとも２つ）のアース電極が、サージに固有の電荷をそらし、最大限可能な広いエリア（面積）に拡散させるために用いられる。これらのアース電極は、ゼロ電位に限りなく近い小さな抵抗でなければならないのは言うまでもない。さらに、落雷による電荷を拡散すべき地上エリアは少なくとも最低の大きさをもつことが重要である。
【０００５】
たとえば、経済的理由から最小限のエリアが得られないような移動遠隔通信用基地局に対する電源の場合、アンテナ支柱の基部の大きさに必要なだけの面積を選ぶことが好ましい。建物の頂に対象がある場合、アース電極をもつ限られた数の導体が使われる。
【０００６】
落雷やＥＭＰの電荷が、電源の入っている筐体やそれが付属している金属フレームを襲うと、電源の導体に対し電荷の寄生的閃絡（フラッシュオーバー）の危険性がある。この電荷は比較的消えにくいので、電源電圧が閃絡まで上昇して、スイッチのような電源の素子を壊したり、電源を停止させたりする。また、電源と共に供給されている他の設備も壊される。
【０００７】
この電圧の大きさが相当のものであることは、直接の落雷が１５０ＫＡもの大きなピーク電流を生じることから理解され、このピーク電流は２．５Ω（この値はアース電極に対する標準値で、実際にはもっと高かったり低かったりする）のインピーダンスをもつアース電極を通して散らされなければならない。
【０００８】
瞬間的には、これは１００ＫＶを超える高電圧に達する。このような大きなピーク電圧に対し、低電圧用の電源は備えられない。
【０００９】
このような寄生的閃絡は、フレームと各相の間に、およびフレームと各中性導体の間にバリスターやスパーク隙のようなサージ保護デバイスを接続する最新技術によって防がれる。フレームは、１以上のアース電極のようなアース接続に直接つながれる。こうして、落雷が生じた導体の一部が閃絡することは防がれる。
【００１０】
しかしながら、この従来技術においては、フレーム上に直接落雷したとき、電源内が損傷することを防ぐことができない。ここで、この損傷によって非常に高い電流が流れて電源の１以上の素子が焼ける。さらに、この高電流によって接続導体が電磁界を通して接続点から引っ張られるとき、電源内に機械的損傷も生じて、電流の中断が生じる。
【００１１】
このような損傷部の修理に多大な時間を要することは言うまでもない。その結果、電源によって電力を与えられる設備が長時間にわたって作動しなくなるため、稼働の大きな障害となる。
【００１２】
特許文献１は、高電圧トランスにおけるサージ阻止器の構成を開示している。サージ阻止器が各相導体と中性導体の間、および中性導体とアース電極の間に接続されている。どのサージ阻止器もみな同じタイプである。さらに、コンデンサが中性導体と第２アース電極の間に接続されている。これにより高いピーク電圧に対してトランスが保護され、コンデンサがサージ阻止器の動特性を制御する。サージ阻止器は通常、高電圧印加に用いられるスパーク・ギャップ素子であるように選ばれる。上記の特許文献１に開示された装置は、特に、高電圧トランスの保護を意図している。
【００１３】
相導体と中性導体の間に接続されたスパーク・ギャップ素子を使うことの難点は、説明しにくい不明確で通常過大な静止電圧になることである。さらに、落雷パルスの立ち上がり時間に従って、その不明確な静止電圧をスパーク・ギャップが維持し、その電圧は２．５Ｋ〜４ＫＶに達し、これは低電圧設備にとって高すぎる電圧である。また、スパーク・ギャップ素子によって短絡が生じ、過大な電流を流すので、電気設備のフューズを切らせる。その結果、トランスによって電力を供給されている設備の作動を停止させる。
【特許文献１】ＥＰ−Ａ−０  １２８  ３４４
【発明の開示】
【発明が解決しようとする課題】
【００１４】
本発明は、上記従来技術の難点を持たない低電圧用途に対するサージ保護システムを提供せんとすることにある。また本発明は、上記電源が落雷の電荷をアースに逃がすために限られたパスしかもたず、ピーク電圧が相対的に高くて比較的ゆっくりとしか減少しないという問題への解決を与えんとするものである。
【課題を解決するための手段】
【００１５】
本発明によれば、サージ保護用システムが提供され、該システムで電源ユニット内に第１タイプのサージ保護デバイスによって少なくとも１つの相導体が中性導体に接続され、第２タイプのサージ保護デバイスによって中性導体が電源ユニット近くのアース電極に接続される。
【００１６】
第１タイプのサージ保護デバイスは、明確な安全レベル（接続線にかかる最大電圧）を供給することを主に意図し、第２タイプは高電流を阻止する、あるいは逃がすことを主に意図している。
【００１７】
相導体と中性導体の間、および中性導体とアース電極の間に異なるタイプのサージ阻止器を使うことにより、このシステムは対象への落雷等によって生じたサージを非常に効率的に保護することができる。本発明は落雷電流の先端部がアース電極を通って流れ、同電流の他の部分が接続導体を流れることに基づいて、本発明の解決は一つの洞察を有している。この現象はアース電極が接続されている限られた地面によって生じると考えられる。電源ユニットとトランスの間にある中性導体は、自己誘導に接続されていないが、相導体は自己誘導に接続されている。自己誘導はトランス・コイル（巻線）、あるいはキロワット時メータのコイルである。これにより、中性導体を通る電流が相導体を通る電流よりも大きくなる。
【００１８】
第１タイプのサージ保護デバイスは、電圧依存抵抗器、すなわちバリスタである。その抵抗値は、電圧が初期設定値を越えると急激に低下する。第２タイプは、スパーク・ギャップ素子である。電圧が所定値を超えて増加すると放電を生じさせ、高電圧が予期されるときに使われる。第１タイプのサージ保護デバイスは、より小さな電流を相導体に流すとともに、相導体にかかる過大電圧を明確な値に限定する。さらに、第２タイプは大きな落雷電流を、フューズを備えていない中性導体に流す。
【００１９】
本発明の１の態様において、第１・第２タイプのサージ保護デバイスは、外部トランスから電力を受ける電源ユニットのスイッチの前方にある。この配列により、落雷やＥＭＰによって生じた電流をシステムのスイッチに流させなくし、より良い保護が得られる。以前、従来技術では、スイッチは完全に焼損した。
【００２０】
他の態様では、少なくとも１つの導体に減結合（デカップリング）インピーダンスが与えられ、第２タイプのサージ保護デバイスによって電源入力と減結合インピーダンスの間に少なくとも１つの相導体が中性導体に接続され、減結合インピーダンスの後方の一部の相導体が第２タイプのサージ保護デバイスによって中性導体に接続される。
【００２１】
減結合インピーダンスがさまざまなサージ保護デバイスの適切な制御を保証する。まず、バリスタが使われて制御可能な安全レベルを保証する。該インピーダンスを通る電流によって電圧が生じ、これが第２タイプのサージ保護デバイスとして使われ、より大きな落雷電流を逸らす。その結果、この態様により相導体を流れる高電流を阻止させる。
【００２２】
さらに他の態様では、アース漏れ回路ブレーカによってスイッチが切られる。このブレーカも、本システムによって保護される。このブレーカは一般に高インピーダンス・アース回路に適用される。通常の配列（サージ阻止器が相とアースの間にある）において、１つのサージ阻止器の欠陥により高インピーダンス・アースの電圧が過大になり、接続装置に対しても過大電圧となる。こうして、通常の保護システムはそのような状況にならないためブレーカの後方にのみ使われるので、ブレーカは落雷があると損傷する。しかし、本発明では、スパーク・ギャップを使うことによりブレーカの前方に使われるので、中性導体とアースの間にガルバニ接続が存在しない。その結果、１つのサージ阻止器が故障したとき、アース（およびすべての接続装置）は過大電圧を生じない。
【００２３】
他の態様では、ブレーカは自己リセット作用をもつ。所定時間後、自動的にリセットするので、電源を自動的に再接続する。まだアース不良があると、ブレーカが再びスイッチを切る。
【００２４】
さらに他の態様では、第２タイプのサージ保護デバイスが非ブローオフ・タイプである。好ましくは、第１タイプはバリスタからなり、第２タイプはスパーク・ギャップ素子からなる。これにより、ブローオフする素子につきものの加熱ガスも高圧も発生しない。
【００２５】
さらに他の態様では、電源ユニットの素子は閉キャビネット（筐体）内にある。これにより、電源接続と保護回路からなる小さくて信頼性のあるキャビネットが作られ、これは組み立てるのに一層容易でコスト・パフォーマンスがよい。非ブローオフ・タイプのサージ保護デバイスを使うことにより、キャビネットは高い内圧や加熱ガスにさらされない。これもまた、中性導体とサージ保護デバイスの間の接続が短い接続という付加的な利点を与え、強い電磁界によって生じる接続上の機械的な力を小さくする。
【００２６】
さらに他の面では、本発明は、外部トランスの２次出力に接続された電源ユニットからなる対象のサージ保護システムに関し、ここで外部トランスの２次巻線がスター結線され、トランスのスター点が下流の中性導体およびトランス近くのアース電極に接続されている。電源内で少なくとも１つの相導体が第１タイプのサージ保護デバイスによって中性導体に接続され、中性導体が第２タイプの同デバイスによってアース電極に接続され、ここで第２タイプの同デバイスは少なくとも４０ＫＡ、好ましくは５０ＫＡ、さらに好ましくは１００ＫＡの定格を有する。これにより、小さな足場しか持たない対象への落雷後、実際に遭遇してきた電流に対する保護を本システムは与えられる。
第１タイプのデバイスは少なくとも４ＫＡ、好ましくは８ＫＡの定格をもつ。これは、落雷後、これらの素子を通る電流に十分である。
【００２７】
さらに他の態様では、中性導体および中性導体間の相互接続は少なくとも８ｍｍ２、好ましくは１６ｍｍ２の断面積をもつ。アース電極に接続された導体およびすべての相互接続は、少なくとも８ｍｍ２、好ましくは１６ｍｍ２の断面積をもつ。これは、中性導体やアース導体が接続されるクランプの相互接続を含んで、電流が流れるすべての接続を含まなければならない。最大電流が中性導体を通ってアース電極に流れ、それが流れる完全なパスは予め定められた最小断面積をもつべきである。好ましくは、アース電極に接続された導体の少なくとも一部が、金属板から形成される。これにより、低い電気機械的力を導く中性導体およびアース導体にわたって、効率的に電流が流れる。
【発明の効果】
【００２８】
本発明は、上記したように構成したので、キャビネット内の装置を完全に保護することが可能になった。
【発明を実施するための最良の形態】
【００２９】
図１において、Ｉは電源の空間に位置する側を示す。トランスの３つの巻線１は、スター点がアースされているスター結線内にあるトランスの２次巻線である。スター点とゼロ電位点の間にあるインピーダンスＲＡは、非常に低い値で、たとえば０．５Ωで、自己インダクタンスはたとえば５μＨである。トランスの２次巻線は通常、抵抗値が約０．０１Ωで自己インダクタンスは５０μＨである。この配置においても、フューズ２が設けられている。
【００３０】
ユーザー側ＩＩの設備は、３相スイッチ３からなる。各導体（相導体および中性導体がスイッチ３の前方で、バリスタのようなサージ阻止器４を通してアース導体５につながれている。アース導体５はスイッチ・クローゼットのフレームにつながれ、インピーダンスＲＢをもつアース電極によってアースされている。他の設備にエネルギーを与えるスイッチ３から導かれる導体は、相導体６と中性導体７である。上記他の設備はそれ自身可能な保護部材を備え、比較的高い入力インピーダンスをもつ。
【００３１】
対象物のフレームに落雷したとき、その電荷はアース導体５を通じてアースに逃されなければならない。理想的な場合、それを通って落雷エネルギーが逃がされるインピーダンスＲＢは値が０（Ω）である。落雷保護標準規格によると、ＲＢの値は最大２．５Ωでなければならない。
【００３２】
落雷エネルギーを逃がすことに対する制限要因は、対象物（設備）が通常位置している小さな地面である。地面の面積が小さいと、短時間に多量の落雷エネルギーを素早く逃がすことができない。これにより、ユーザー側ＩＩの設備を加熱し、電圧閃絡の危険性が生じる。
【００３３】
電流の瞬間値が１５０ＫＡにも高くなる落雷において、アース導体５にかかる電圧は７５ＫＶにも高くなる。これによりスイッチ３に容易に閃絡が生じ、正常な作動が止まる。ほとんどすべての状況において、そのような閃絡はスイッチ３の重大な損傷を招き、しばしばフューズ２を溶断させる。
【００３４】
ピーク電圧をできるだけ低く保ち、接続時間をできるだけ長くするために、バリスタのようなサージ阻止器４を備えてある。最大電流は通常、最低インピーダンスをもつ中性導体７を通って流れる。
【００３５】
フレームに落雷すると、サージ阻止器４によってスイッチ３およびフューズ２への閃絡の危険は減らされるが、ユーザー側ＩＩから電源側Ｉに流れる大電流が４０ＫＡよりも高い値を依然として保つので、スイッチ３とフューズ２はなお焼損する可能性がある。
【００３６】
ユーザー側ＩＩの配列によって、経済的に不利なやり方でサービスを妨げることになるユーザー側の設備が作動しなくなるまでの時間が延ばされる。
【００３７】
図２に、この問題に対する本発明の解決手段を示す。相導体に対し一方の側が接続されているサージ阻止器４は、他方の側がアース導体５に接続されていないが、中性導体７に接続されている。中性導体７は避雷器（落雷電流アレスタ）９を介してアース導体５に接続している。
【００３８】
閃絡的に限られた時間だけ続く短絡を生じさせるそのような避雷器は、たとえばドイツ特許出願ＤＥ−Ａ−１９  ７４  ２３０２、ＤＥ−Ａ−１９  ７５  ５０８２および欧州特許出願ＥＰ−Ａ−０  １２８  ３４４により公知である。
【００３９】
ユーザー側ＩＩに落雷すると、相導体６にかかるピーク電圧がサージ阻止器４によって大いに抑えられる。避雷器９により、中性導体７とアース導体８の間にほとんど完全な短絡が生じ、落雷電流は一部のみが、ユーザー側ＩＩから相導体６を通って電源側Ｉのトランスまで流れる。
【００４０】
逃がされるべきピーク電流は、アース抵抗ＲＡとＲＢの並列回路を通って逃がされる。もちろん、ユーザー側ＩＩと電源側Ｉのトランスとの間にある相導体６と中性導体７の抵抗も存在するが、低インピーダンスなので実際上問題にならない。
【００４１】
図３に本発明の他の態様を示す。ここでスイッチ３は、ユーザー側ＩＩの設備へ電流が流れる向きに眺めると、電流と電圧を抑えるための素子の後方に位置している。この配置により、大電流によってスイッチ３が過負荷になる危険性が減る。サージ保護システムの上流にある素子はフューズ２だけである。試験では相導体６を流れる落雷誘起電流は比較的小さいが、実際にはフューズ２がブレークする可能性がある。フューズ２のブレークによるダウン時間を最短にするため、フューズ２は自動タイプが好ましく、これらは溶断タイプよりも落雷誘起電流に耐える。さらに、自動タイプのフューズ２は手動でリセットでき、あるいは遠隔ロケーションを形成する。
【００４２】
図４にさらに他の本発明の態様を示す。ここで、減結合（デカップリング）インピーダンス１０が各相導体６に設けられ、その位置はサージ阻止器４によって相導体６が中性導体７に接続されている点と付加的な避雷器１１によって相導体６が中性導体７に接続されている点の間である。さらに、付加的な避雷器１１が各相導体６と中性導体７の間に設けられ、同様に付加的な避雷器１２が中性導体７とアース導体５の間に設けられている。避雷器１１・１２はスパーク・ギャップ素子のような電流阻止器であることが好ましい。減結合インピーダンス１０により、さまざまなサージ保護デバイス４・９・１１・１２を適切に制御できる。まず、バリスタのようなサージ阻止器４が作動して制御可能な安全レベルを保証する。減結合インピーダンス１０を通った電流は、電圧を発生し、その瞬間、より大きな落雷電流を逃がし得る第２タイプの避雷器１１に印加させる。その結果、この態様により、相導体を通るより高い落雷電流を阻止できる。図４のシステムは、電源ユニットによって電力を供給される設備、および電源側Ｉのトランス１の双方を有効に保護する。減結合インピーダンス１０およびサージ保護デバイス４・９・１１・１２がスイッチ３の下流にも位置し得ることは、当業者には明らかであろう。
【００４３】
第２タイプの避雷器９・１１・１２は少なくとも４０ＫＡ、好ましくは５０ＫＡ、さらに好ましくは１００ＫＡの定格をもつ。これにより、小さな足場（面積）しかもたない設備に落雷したとき、実際に遭遇してきた大電流に対する保護を、有効に行うことができるシステムを提供する。第１タイプのサージ阻止器４は少なくとも４ＫＡ、好ましくは８ＫＡの定格をもつ。これは落雷後発生するこれらの素子を通って流れる電流に対して十分である。
【００４４】
以上説明した態様のすべての素子は、一つのキャビネットに統合して収納できる。非ブローオフ・タイプの避雷器９・１１・１２を使うことにより、加熱ガスも高圧も発生させないので、これらの素子もすべて一つのキャビネットに統合して収納できる。それらを通る高電流に耐えるため、中性導体７および／またはアース導体５、およびクランプのようなそれらの間の相互接続はすべて、少なくとも８ｍｍ２、好ましくは１６ｍｍ２の断面積をもつ素材からなる。これは中性導体７および／またはアース導体５が接続されるクランプの相互接続を含んで、電流が流れるすべての接続を含む。最大電流が中性導体７とアース導体５を通って流れるので、それが流れる完全なパスは所定の最小直径をもたなければならない。好ましくは、アース導体５の少なくとも一部は金属板からなる。これにより、アース導体５を流れる有効な電流をより低い電気機械作用に導くことができる。また、図２〜４のＲＡとＲＢに向かうアース電極への接続も、最小直径をもたなければならない。閉じたキャビネット内では、落雷があったとき最大電流が避雷器９を流れるので、その装着には注意を払わなければならない。最大電流によって大きな電気機械作用が生じ、避雷器９の装着部を損傷する恐れがある。
【００４５】
電源側Ｉにあるキロワット時メータ（積算電力計）に新しい導体を接続するときにも、本発明による効果が生じることは明らかである。
【００４６】
本発明による解決は単相電源にも適用可能であることも明らかであろう。
【図面の簡単な説明】
【００４７】
【図１】従来技術による低電圧設備の保護システムの概略回路図である。
【図２】本発明による第１の態様のシステムの概略回路図である。
【図３】本発明による第２の態様のシステムの概略回路図である。
【図４】本発明による第３の態様のシステムの概略回路図である。
【符号の説明】
【００４８】
Ｉ：電源側
ＩＩ：ユーザー側
１：トランス
２：フューズ
３：スイッチ
４：サージ阻止器（バリスタ）
５：アース導体
６：相導体
７：中性導体
８：アース導体
９、１１、１２：避雷器
１０：減結合インピーダンス
ＲＡ、ＲＢ：インピーダンス（アース抵抗）
【図１】
2006230197.tif 000003
【図２】
2006230197.tif 000004
【図３】
2006230197.tif 000005
【図４】
2006230197.tif 000006